Podtech/llm-jp-corpus-v4-ja_patent huggingface dataset:
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
明所視状態に置かれた被検眼の前眼部像を撮像する第１撮像手段と、暗所視状態に置かれた被検眼の前眼部像を撮像する第２撮像手段と、前記第１及び第２撮像手段により撮像された各画像を処理してそれぞれの瞳孔情報を検出する検出手段と、該検出された両者の瞳孔情報を比較する比較手段と、該比較結果を出力する出力手段と、を備えることを特徴とする眼科装置。
【請求項２】
請求項１の眼科装置において、被検眼と前記第１撮像手段及び第２撮像手段とを所定の関係にアライメントするアライメント手段を備え、前記検出手段が検出する瞳孔情報は、アライメントされた前眼部画像の所定の基準位置に対する瞳孔位置の偏位情報であることを特徴とする眼科装置。
【請求項３】
請求項１または請求項２の眼科装置において、さらに前記検出手段が検出する瞳孔情報には瞳孔形状の情報が含まれることを特徴とする眼科装置。
【請求項４】
請求項１の眼科装置は、被検眼に可視光の刺激光を投光する投光手段と、該投光手段による刺激光の光量を変える光量可変手段とを備え、刺激光の可変により被検眼を明所視状態と暗所視状態に置く構成としたことを特徴とする眼科装置。
【請求項５】
請求項１の眼科装置において、瞳孔領域を通して赤外の測定光を眼底に投光し眼底からの反射光を受光素子に受光して被検眼の屈折力又は波面収差を測定する第１測定手段と、被検眼角膜に可視の指標光を投影し角膜反射光を受光素子により受光して角膜形状を測定する第２測定手段とを備え、前記第１撮像手段は前記第２測定手段の測定時に前眼部像を撮像し、前記第２撮像手段は前記第１測定手段の測定時に前眼部像を撮像することを特徴とする眼科装置。
【請求項６】
明所視状態に置かれた被検眼の前眼部画像と暗所視状態に置かれた被検眼の前眼部像画像を入力する画像入力手段と、入力された各画像を処理してそれぞれの瞳孔情報を検出する検出手段と、該検出された両者の瞳孔情報を比較する比較手段と、該比較結果を出力する出力手段と、を備えることを特徴とする眼科装置。
【請求項７】
レーザ光を角膜に照射する照射光学系を持ち、レーザ光の照射により角膜の形状を変える角膜手術装置において、暗所視状態で撮像された前眼部画像と明所視状態で撮像された前眼部画像との比較に基づいて求められる両者の瞳孔位置の変動情報を入力する入力手段と、手術時に明所視状態に置かれた患者眼の瞳孔位置を検知する瞳孔検知手段と、該検知結果に基づいて前記照射光学系をアライメントするアライメント手段と、前記入力手段により入力された瞳孔位置の変動情報に基づいて前記アライメント手段のアライメント位置を補正する補正手段と、を備えることを特徴とする角膜手術装置。
【手続補正２】
【補正対象書類名】明細書
【補正対象項目名】０００５
【補正方法】変更
【補正の内容】
【０００５】
【課題を解決するための手段】
上記課題を解決するために、本発明は以下のような構成を備えることを特徴とする。
（１）  明所視状態に置かれた被検眼の前眼部像を撮像する第１撮像手段と、暗所視状態に置かれた被検眼の前眼部像を撮像する第２撮像手段と、前記第１及び第２撮像手段により撮像された各画像を処理してそれぞれの瞳孔情報を検出する検出手段と、該検出された両者の瞳孔情報を比較する比較手段と、該比較結果を出力する出力手段と、を備えることを特徴とする。
（２）  （１）の眼科装置において、被検眼と前記第１撮像手段及び第２撮像手段とを所定の関係にアライメントするアライメント手段を備え、前記検出手段が検出する瞳孔情報は、アライメントされた前眼部画像の所定の基準位置に対する瞳孔位置の偏位情報であることを特徴とする。
（３）  （１）または（２）の眼科装置において、さらに前記検出手段が検出する瞳孔情報には瞳孔形状の情報が含まれることを特徴とする。
（４）  （１）の眼科装置は、被検眼に可視光の刺激光を投光する投光手段と、該投光手段による刺激光の光量を変える光量可変手段とを備え、刺激光の可変により被検眼を明所視状態と暗所視状態に置く構成としたことを特徴とする。
（５）  （１）の眼科装置において、瞳孔領域を通して赤外の測定光を眼底に投光し眼底からの反射光を受光素子に受光して被検眼の屈折力又は波面収差を測定する第１測定手段と、被検眼角膜に可視の指標光を投影し角膜反射光を受光素子により受光して角膜形状を測定する第２測定手段とを備え、前記第１撮像手段は前記第２測定手段の測定時に前眼部像を撮像し、前記第２撮像手段は前記第１測定手段の測定時に前眼部像を撮像することを特徴とする。
（６）  明所視状態に置かれた被検眼の前眼部画像と暗所視状態に置かれた被検眼の前眼部像画像を入力する画像入力手段と、入力された各画像を処理してそれぞれの瞳孔情報を検出する検出手段と、該検出された両者の瞳孔情報を比較する比較手段と、該比較結果を出力する出力手段と、を備えることを特徴とする。
（７）  レーザ光を角膜に照射する照射光学系を持ち、レーザ光の照射により角膜の形状を変える角膜手術装置において、暗所視状態で撮像された前眼部画像と明所視状態で撮像された前眼部画像との比較に基づいて求められる両者の瞳孔位置の変動情報を入力する入力手段と、手術時に明所視状態に置かれた患者眼の瞳孔位置を検知する瞳孔検知手段と、該検知結果に基づいて前記照射光学系をアライメントするアライメント手段と、前記入力手段により入力された瞳孔位置の変動情報に基づいて前記アライメント手段のアライメント位置を補正する補正手段と、を備えることを特徴とする。
【手続補正３】
【補正対象書類名】明細書
【補正対象項目名】００２８
【補正方法】変更
【補正の内容】
【００２８】
また、患者眼の角膜中心と撮像光軸（測定光軸）とのアライメントが完了した時、両者が充分に一致した状態であれば、必ずしも指標像６１は検出しなくても良く、この場合は画像中央等の所定位置を基準として瞳孔中心６２の偏位を検出すれば良い。具体的にはオートアライメント機構を採用している場合である。
【手続補正書】
【提出日】平成16年9月28日(2004.9.28)
【手続補正１】
【補正対象書類名】明細書
【補正対象項目名】００４１
【補正方法】変更
【補正の内容】
【００４１】
図２は、図１に示す装置の使用状態を表すもので、マットレス１上で睡眠中の使用者を点線で示している。このように、電流供給電極３Ａ〜３Ｄ、電圧測定電極４Ａ〜４Ｄおよび体温測定パッド５は、使用者が横臥位で寝たときに、各部位に接触するような位置に配置されている。
【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】 関心領域 （ＲＯＩ） （１２０）に対応するワーキング画像集合構成する
２次元ＣＴ画像の間の時相整合不良を最小にするための、ＣＴイメージング・システムで使用される方法であって、取得期間中の個別の逐次的な取得時相を特定するステップ（１４８）と、個別の取得時相に対応する螺旋データを取得するステップ（１４２）と、各々の取得時相について、（１）少なくとも２つの異なる時相範囲を特定し（１４８）、（２）画像を作成して（１５２）、該画像を前記異なる時相範囲に対応する時相画像集合として記憶するステップと、逐次的な範囲に対応する時相画像集合を比較して（１５６）、実質的に整列した時相画像集合を特定するステップと、前記実質的に整列した時相画像集合を前記ＲＯＩについてのワーキング画像集合として選択するステップ（１５８，１６０，１６２）とを含んでいる当該方法。
【請求項２】 前記の取得時相を特定するステップは循環的な解剖学的機能のサイクルを
監視するステップを含み、前記の螺旋データを取得するステップは前記解剖学的機能のサイクルと一致するように螺旋データの取得をゲート駆動するステップを含む、請求項１記載の方法。
【請求項３】 前記解剖学的機能は心拍動サイクルであり、各々の取得時相は少なくとも
１つの心拍動サイクル時相に対応する、請求項１又は２に記載の方法。
【請求項４】 前記少なくとも１つの心拍動サイクル時相は拡張期時相である、請求項３
記載の方法。
【請求項５】 前記少なくとも１つの心拍動サイクル時相は収縮期時相である、請求項３
記載の方法。
【請求項６】 関心領域（ＲＯＩ）に対応するワーキング画像集合を構成する２次元ＣＴ
画像の間の時相整合不良を最小にするための、ＣＴイメージング・システムで使用される装置であって、取得期間中の個別の逐次的な取得時相を特定するステップ（１４８）と、個別の取得時相に対応する螺旋データを取得するステップ（１４２）と、各々の取得時相について、（１）少なくとも２つの異なる時相範囲を特定し（１４８）、（２）画像を作成して（１５２）、該画像を異なる時相範囲に対応する時相画像集合として記憶するステップと、逐次的な範囲に対応する時相画像集合を比較して（１５６）、実質的に整列した時相画像集合を特定するステップと、前記実質的に整列した時相画像集合を前記ＲＯＩについてのワーキング画像集合として選択するステップ（１５８，１６０，１６２）とを実
行するするためのパルス・シーケンス・プログラムを実行する処理装置（６０）を有している当該装置。
【請求項７】 前記プログラムは、循環的な解剖学的機能のサイクルを監視することによ
って前記の取得時相を特定するステップを実行するように、前記処理装置を動作させ、前記の螺旋データを取得するステップは前記解剖学的機能のサイクルと一致するように螺旋データの取得をゲート駆動することを含んでいる、請求項６記載の装置。
【請求項８】 前記解剖学的機能は心拍動サイクルであり、各々の取得時相は少なくとも
１つの心拍動サイクル時相に対応する、請求項６又は７に記載の装置。
【請求項９】 前記プログラムは、循環的な解剖学的機能のサイクルを監視しながら、完
全な螺旋データ集合を取得し（１４４）、次いで該螺旋データを循環的な解剖学的データの関数として記憶することによって、前記の螺旋データを取得するステップを実行するように、前記処理装置を動作させ、また前記プログラムは、前記螺旋データを記憶した後、前記解剖学的機能のサイクルの個別の時相を特定する（１４６）ことによって、前記の取得時相を特定するステップを実行するように、前記処理装置を動作させ、前記の螺旋データを取得するステップは更に、個別の取得時相に対応する螺旋データを検索することを含んでいる、請求項６乃至８のいずれかに記載の装置。
【請求項１０】 前記プログラムは更に、前記比較の前に、取得期間内から特定の時相点
を特定するように、前記処理装置を動作させ、また前記プログラムは、前記特定された時相点に最も接近して対応する時相画像集合をワーキング集合として選択して、整列不良を見分けるために該ワーキング集合の画像集合を比較することによって、取得時相ごとに前記の比較するステップを実行するように、前記処理装置を動作させ、更に前記プログラムは、置換によって整列不良が低減される場合にワーキング集合の画像集合を非ワーキング集合の画像集合に置き換えて、修正したワーキング画像集合を構成することによって、前記の選択するステップを実行するように、前記処理装置を動作させる、請求項６乃至９のいずれかに記載の装置。
【手続補正２】
【補正対象書類名】明細書
【補正対象項目名】００１９
【補正方法】変更
【補正の内容】
【００１９】
ゲート動作に関連した時相整合不良は、サジタル又はコロナルの観点から多平面リフォーマット・レンダリングに対応する画像データ集合を見たとき、心室壁において極めて明白なことがある。同様に、整合不良は、湾曲リフォーマット・レンダリングにより画像集合を見たときの冠状動脈において明白である。
【特許文献１】米国特許第４８６８７４７号
【手続補正書】
【提出日】平成16年10月18日(2004.10.18)
【手続補正１】
【補正対象書類名】明細書
【補正対象項目名】特許請求の範囲
【補正方法】変更
【補正の内容】
【特許請求の範囲】
【請求項１】
蓄電池と、負荷と、直流電流供給手段と、直流電流供給制御手段とを備えた充放電装置において、蓄電池から負荷への放電電気量をＣｄとし、直流電流供給手段から蓄電池への充電電気量に係数α（０＜α＜１）を乗じた電気量をＣｃとし、放充電電気量の差をＣ（Ｃ＝Ｃｄ−Ｃｃ）とし、あらかじめ定めた電気量をＣ１、Ｃ２（Ｃ１＞Ｃ２）としたとき、
ＣがＣ１以上になれば、直流電源供給装置は蓄電池および／または負荷に対して常時電流を供給し、その状態からＣがＣ２未満になれば、ＣがＣ１以上になるまで直流電源供給装置は蓄電池および／または負荷に対して電流の供給を停止できるよう構成されたことを特徴とする充放電装置。
【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
始動口にパチンコ球が入球したことを契機に内部抽選が行われ、当該内部抽選結果に基づく演出が表示部において行われる遊技機であって、
前記表示部で行われる演出において、用意された断片画像が背景画像の複数の嵌め込み位置のいずれかに嵌め込まれる嵌め込み演出が繰り返され、当該背景画像が完成した画像に近づいて行くものであることを特徴とする遊技機。
【請求項２】
前記内部抽選結果が大当たりである場合の前記演出は、前記断片画像が嵌め込まれてなる背景画像が前記完成した画像に至るものであることを特徴とする請求項１記載の遊技機。
【請求項３】
前記内部抽選結果がはずれである場合の前記演出は、前記背景画像を完成させるための最後の断片画像が、最後に残っている嵌め込み位置に合致しないものとなる演出であることを特徴とする請求項１記載の遊技機。
【請求項４】
前記表示部の演出である、リーチ画面に至るまでの通常画面において、前記嵌め込み演出が繰り返され、当該嵌め込まれた断片画像の少なくとも一つが誤った嵌め込み位置に嵌め込まれた状態となり、
リーチ画面において、前記誤った嵌め込み位置の断片画像が正規の嵌め込み位置への移動を示唆する動きを行うことを特徴とする請求項１記載の遊技機。
【請求項５】
始動口にパチンコ球が入球したことを契機に内部抽選が行われ、当該内部抽選結果に基づく演出が表示部において行われる遊技機の画像演出表示方法であって、
前記演出として、用意された断片画像が背景画像の複数の嵌め込み位置のいずれかに嵌め込まれる嵌め込み演出表示を繰り返し、当該背景画像が完成した画像に近づいて行く演出を行うことを特徴とする遊技機の画像演出表示方法。
【請求項６】
前記内部抽選結果が大当たりである場合の前記演出は、前記断片画像が嵌め込まれてなる背景画像が前記完成した画像に至るものであることを特徴とする請求項５記載の遊技機の画像演出表示方法。
【請求項７】
前記内部抽選結果がはずれである場合の前記演出は、前記背景画像を完成させるための最後の断片画像が、最後に残っている嵌め込み位置に合致しないものとなる演出であることを特徴とする請求項５記載の遊技機の画像演出表示方法。
【請求項８】
前記表示部の演出である、リーチ画面に至るまでの通常画面において、前記嵌め込み演出が繰り返され、当該嵌め込まれた断片画像の少なくとも一つが誤った嵌め込み位置に嵌め込まれた状態となり、
リーチ画面において、前記誤った嵌め込み位置の断片画像が正規の嵌め込み位置への移動を示唆する動きを行うことを特徴とする請求項５記載の遊技機の画像演出表示方法。
【請求項９】
パチンコ遊技の状況に応じて、適宜、画像の演出を行うための画像演出表示プログラムを格納しているコンピュータ読み取り可能な記憶媒体であって、
前記画像演出表示プログラムは、前記演出として、用意された断片画像が背景画像の複数の嵌め込み位置のいずれかに嵌め込まれる嵌め込み演出表示を繰り返し、当該背景画像が完成した画像に近づいて行く演出を行うことを特徴とする記憶媒体。
【請求項１０】
前記パチンコ遊技の状況が最終的に大当たりに移行する状況である場合の前記演出は、前記断片画像が嵌め込まれてなる背景画像が前記完成した画像に至る演出であることを特徴とする請求項９記載の記憶媒体。
【請求項１１】
前記パチンコ遊技の状況が最終的に大当たりに移行する状況である場合の前記演出は、前記背景画像を完成させるための最後の断片画像が、最後に残っている嵌め込み位置に合致しないものとなる演出であることを特徴とする請求項９記載の記憶媒体。
【請求項１２】
前記画像演出表示プログラムは、前記画像の演出である、リーチ画面に至るまでの通常画面において、前記嵌め込み演出を繰り返し、当該嵌め込まれた断片画像の少なくとも一つが誤った嵌め込み位置に嵌め込まれた状態とし、
リーチ画面において、前記誤った嵌め込み位置の断片画像が正規の嵌め込み位置への移動を示唆する動きを行うことを特徴とする請求項９記載の記憶媒体。
【請求項１３】
端末機の表示画面上においてパチンコ遊技を実行せしめるサーバであって、
前記パチンコ遊技の状況に応じた演出として、用意された断片画像が背景画像の複数の嵌め込み位置のいずれかに嵌め込まれる嵌め込み演出表示を繰り返し、当該背景画像が完成した画像に近づいて行く演出を行わしめることを特徴とするサーバ。
【請求項１４】
前記パチンコ遊技の状況が最終的に大当たりに移行する状況である場合の演出として、前記断片画像が嵌め込まれてなる背景画像が前記完成した画像に至る演出を行わしめることを特徴とする請求項１３記載のサーバ。
【請求項１５】
前記パチンコ遊技の状況が最終的に大当たりに移行する状況である場合の演出として、前記背景画像を完成させるための最後の断片画像が、最後に残っている嵌め込み位置に合致しないものとなる演出を行わしめることを特徴とする請求項１３記載のサーバ。
【請求項１６】
前記パチンコ遊技の状況に応じた演出である、リーチ画面に至るまでの通常画面において、前記嵌め込み演出を繰り返し、当該嵌め込まれた断片画像の少なくとも一つが誤った嵌め込み位置に嵌め込まれた状態とし、
リーチ画面において、前記誤った嵌め込み位置の断片画像が正規の嵌め込み位置への移動を示唆する動きを行わしめることを特徴とする請求項１３記載のサーバ。
【請求項１７】
始動口に遊技球が入賞したことに基づいて内部抽選を行い、内部抽選結果を定める主制御回路と、
前記主制御回路によって定められた内部抽選結果に基づいて可変表示ゲームを実行する表示装置と、
前記表示装置に断片画像を含めた画像を表示させる表示制御装置と、を備える遊技機であって、
前記表示制御装置は、複数の断片画像データが記録された画像データ用ＲＯＭを備え、前記主制御回路によって定められた内部抽選結果に基づいて、画像データ用ＲＯＭに記録された前記断片画像データを順次読み出し、当該読み出した前記断片画像データに基づいて、前記表示装置の表示領域の所定の位置に断片画像を順次表示させることによって、前記断片画像により構成される背景画像を、完成した画像に近づいていくように前記表示装置に表示させることを特徴とする遊技機。
【請求項１８】
前記表示制御装置は、前記主制御回路により内部抽選結果が大当りであると定められた場合に、前記背景画像を、完成した画像で前記表示装置に表示させることを特徴とする請求項１７記載の遊技機。
【請求項１９】
前記表示制御装置は、前記主制御回路により内部抽選結果がはずれであると定められた場合に、少なくとも一つの前記断片画像を前記表示領域の所定の位置以外の位置に表示させ、前記背景画像を、完成していない画像で前記表示装置に表示させることを特徴とする請求項１７又は１８に記載の遊技機。
【請求項２０】
前記表示制御装置は、前記主制御回路により内部抽選結果がリーチに至るものであると定められたことを条件に、少なくとも一つの前記断片画像を前記表示領域の所定の位置以外の位置に表示させることによって、前記背景画像を、完成していない画像で前記表示装置に表示させるとともに、前記表示領域の所定の位置以外の位置に表示された前記断片画像を前記表示領域の所定の位置へ移動表示させることを特徴とする請求項１７から１９のいずれかに記載の遊技機。
【手続補正書】
【提出日】平成16年11月11日(2004.11.11)
【手続補正１】
【補正対象書類名】明細書
【補正対象項目名】００１６
【補正方法】変更
【補正の内容】
【００１６】
【表１】
2003164885.tif 000001
【手続補正２】
【補正対象書類名】明細書
【補正対象項目名】００４５
【補正方法】変更
【補正の内容】
【００４５】
（１）ＮａＨＣＯ3：５００ｍｇ／Ｌ  ａｓ  ＣａＣＯ3；ｐＨ６．５の場合（２０℃）
i）第１工程での滴定予定値計算は
2003164885.tif 000002
で表される。この式を変形すると
2003164885.tif 000003
となる。
従って、［ＣＯ2］を［ＨＣＯ3-］に解離させるのに、試料５００ｍＬに対し４％ＮａＯＨが２．３５ｍＬ必要である。
さらに［ＨＣＯ3-］から［ＣＯ32-］に変化するためには、［ＣＯ2］＋［ＣＯ3-］＝５００ｍｇ／Ｌに見合うＮａＯＨを添加する必要がある。その量は以下のように計算され、５００ｍｇ／Ｌ  ａｓ  ＣａＣＯ3×（４０／５０）＝４００ｍｇ／Ｌ  ａｓ  ＮａＯＨ  ４％ＮａＯＨは５ｍＬ必要である。
従って、合計２．３５＋５．００＝７．３５ｍＬ滴下することでｐＨ８．３に達すると予測される。
ii）第２工程での滴定予定値計算
試料には、２３００ｍｇ／Ｌ  ａｓ  Ｃａ（５７５０ｍｇ／Ｌ  ａｓ  ＣａＣＯ3）のＣａが存在しており、第１工程終了時に全てのＣＯ32-が使用されたと仮定すると残りは、５７５０−５００＝５２５０ｍｇ／Ｌ  ａｓ  ＣａＣＯ3である。このＣａを除去するために必要な５％Ｎａ2ＣＯ3は、５２５０ｍｇ／Ｌ  ａｓ  ＣａＣＯ3×０．５Ｌ＝２６２５ｍｇ  ａｓ  ＣａＣＯ3＝５５．６ｍＬ  ａｓ  ５％Ｎａ2ＣＯ3と予測される。
【手続補正３】
【補正対象書類名】明細書
【補正対象項目名】００４７
【補正方法】変更
【補正の内容】
【００４７】
（実際の実験結果）
試料Ｎｏ．１〜Ｎｏ．４の実際の実験結果を次表に示す。また各処理水サンプルのアルカリ度滴定曲線を図２および図３に示す。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
治療レーザ光源からのレーザ光を治療部位に導光する導光光学系を備えるレーザ治療装置において、前記レーザ光源から出射されたレーザ光の出力を検知する温度式の出力センサと、該出力センサから出力される信号の時間的な変化度合いに基づいてレーザ光の出力を予測する予測手段と、を備えることを特徴とするレーザ治療装置。
【請求項２】
請求項１のレーザ治療装置において、レーザ出力を設定する設定手段と、レーザ出力の設定値に対する前記出力センサから出力される信号の時間的な変化度合いの基準値を記憶する記憶手段とを備え、前記予測手段は前記記憶手段に記憶された基準値に基づいてレーザ光の出力を予測することを特徴とするレーザ治療装置。
【請求項３】
請求項１のレーザ治療装置において、前記予測手段で予測されたレーザ出力が所期する許容範囲に有るか否かを判断する判断手段と、レーザ出力がその許容範囲から外れていると判断されたときに前記導光光学系により導光されるレーザ光を停止する停止手段と、を備えることを特徴とするレーザ治療装置。
【請求項４】
請求項１のレーザ治療装置において、前記予測手段による予測結果に基づいてレーザ出力が前記設定手段で設定された値となるように前記レーザ光源のレーザ出力を制御する出力制御手段と、を備えることを特徴とするレーザ治療装置。
【請求項５】
請求項１のレーザ治療装置において、前記出力センサは出力検知の分解能に応じて複数個用意されていることを特徴とするレーザ治療装置。
【手続補正２】
【補正対象書類名】明細書
【補正対象項目名】０００５
【補正方法】変更
【補正の内容】
【０００５】
【課題を解決するための手段】
上記問題点を解決するために、本発明は以下のような構成を備えることを特徴とする。
（１）  治療レーザ光源からのレーザ光を治療部位に導光する導光光学系を備えるレーザ治療装置において、前記レーザ光源から出射されたレーザ光の出力を検知する温度式の出力センサと、該出力センサから出力される信号の時間的な変化度合いに基づいてレーザ光の出力を予測する予測手段と、を備えることを特徴とする。
（２）  （１）のレーザ治療装置において、レーザ出力を設定する設定手段と、レーザ出力の設定値に対する前記出力センサから出力される信号の時間的な変化度合いの基準値を記憶する記憶手段とを備え、前記予測手段は前記記憶手段に記憶された基準値に基づいてレーザ光の出力を予測することを特徴とする。
（３）  （１）のレーザ治療装置において、前記予測手段で予測されたレーザ出力が所期する許容範囲に有るか否かを判断する判断手段と、レーザ出力がその許容範囲から外れていると判断されたときに前記導光光学系により導光されるレーザ光を停止する停止手段と、を備えることを特徴とする。
（４）  （１）のレーザ治療装置において、前記予測手段による予測結果に基づいてレーザ出力が前記設定手段で設定された値となるように前記レーザ光源のレーザ出力を制御する出力制御手段と、を備えることを特徴とする。
（５）  （１）のレーザ治療装置において、前記出力センサは出力検知の分解能に応じて複数個用意されていることを特徴とする。
【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
遊技媒体の挙動に起因して識別情報を変動表示可能な可変表示装置と、
前記遊技媒体の挙動に起因して抽選を行い、その結果に基づいて所定の利益を伴う特別遊技状態を導出するか否かを判定する判定手段と
を備え、前記判定手段にて前記特別遊技状態を導出することが判定された場合には、可変表示装置において前記識別情報を特定の態様にて確定表示せしめ、前記特別遊技状態を導出するように構成されるとともに、
前記特定の態様の種類により前記特別遊技状態終了後の遊技における遊技モードを、少なくとも通常モードとそれよりも価値の高い特別モードとの間で切換可能に構成された遊技機であって、
所定条件が成立する限り、前記特別モード期間中には、前記判定手段にて前記特別遊技状態を導出することが判定された場合であっても、前記可変表示装置において前記識別情報を特定の態様にて確定表示することをひかえて、前記所定の利益がためられるようにするとともに、前記期間終了に際して前記ためられた所定の利益分を加味した特別遊技状態を導出可能とし、さらに、前記利益がためられる場合には特有の態様の表示を行うようにしたことを特徴とする遊技機。
【請求項２】
前記遊技モードが特別モードから通常モードへと切り換えられる条件が成立しない限りは前記所定条件が成立するようにしたことを特徴とする請求項１に記載の遊技機。
【請求項３】
前記判定手段にて前記特別遊技状態を導出することが判定され、前記遊技モードが特別モードから通常モードへと切り換えられる条件が成立した場合には、前記所定条件不成立として、前記ためられた所定の利益分を加味した特別遊技状態を導出するようにしたことを特徴とする請求項１又は２のいずれかに記載の遊技機。
【請求項４】
遊技媒体の挙動に起因して識別情報を変動表示可能な可変表示装置と、
前記遊技媒体の挙動に起因して抽選を行い、その結果に基づいて所定の利益を伴う特別遊技状態を導出するか否かを判定する判定手段と
を備え、前記判定手段にて前記特別遊技状態を導出することが判定された場合には、可変表示装置において前記識別情報を第１の特定の態様又は第２の特定の態様にて確定表示せしめ、前記特別遊技状態を導出するように構成されるとともに、
前記第１の特定の態様にて確定表示された場合には、前記特別遊技状態終了後の遊技における遊技モードを、通常モードに設定し、前記第２の特定の態様にて確定表示された場合には、前記特別遊技状態終了後の遊技における遊技モードを、前記通常モードよりも価値の高い特別モードに設定するよう構成された遊技機であって、
前記特別モード期間中には、前記判定手段にて前記特別遊技状態を導出することが判定された場合であっても、前記可変表示装置において前記識別情報を前記第２の特定の態様にて確定表示することをひかえて、前記所定の利益がためられるようにするとともに、前記期間終了に際して前記ためられた所定の利益分を加味した特別遊技状態を導出可能とし、さらに、前記利益がためられる場合には特有の態様の表示を行うようにしたことを特徴とする遊技機。
【請求項５】
遊技媒体の挙動に起因して識別情報を変動表示可能な可変表示装置と、
前記遊技媒体の挙動に起因して抽選を行い、その結果に基づいて所定の利益を伴う特別遊技状態を導出するか否かを判定する判定手段と
を備え、前記判定手段にて前記特別遊技状態を導出することが判定された場合には、可変表示装置において前記識別情報を別途選択決定された第１の特定の態様又は第２の特定の態様にて確定表示せしめ、前記特別遊技状態を導出するように構成されるとともに、
前記第１の特定の態様にて確定表示された場合には、前記特別遊技状態終了後の遊技における遊技モードを、通常モードに設定し、前記第２の特定の態様にて確定表示された場合には、前記特別遊技状態終了後の遊技における遊技モードを、前記通常モードよりも価値の高い特別モードに設定するよう構成された遊技機であって、
前記特別モード期間中に、前記判定手段にて前記特別遊技状態を導出することが判定された場合であっても、前記選択決定された特定の態様が第２の特定の態様である場合には、前記可変表示装置において前記識別情報を前記第２の特定の態様にて確定表示することをひかえて、前記所定の利益がためられるようにするとともに、前記判定手段にて前記特別遊技状態を導出することが判定され、前記選択決定された特定の態様が第１の特定の態様である場合に、前記ためられた所定の利益分を加味した特別遊技状態を導出可能とし、さらに、前記利益がためられる場合には特有の態様の表示を行うようにしたことを特徴とする遊技機。
【請求項６】
前記特有の態様の表示は、識別情報が特定の態様以外の特殊態様で確定表示されることで行われるようにしたことを特徴とする請求項１乃至５のいずれかに記載の遊技機。
【請求項７】
前記特殊態様は、前記特定の態様以外の態様として、通常導出されうるものであることを特徴とする請求項１乃至６のいずれかに記載の遊技機。
【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
引き戻し可能な針注射器のための引き戻し制御ユニットに
おいて、
注射器のバレル(１０)内へ軸方向に挿入され、同バレル内で係止された末端の軸方向
片持ち梁延長部(３０３，１３０３，２３０３)を備えた円筒状のバネリテーナ(３０２，１３０２)；
圧縮可能に係合される弾性キャップ(１２)と、１又はそれ以上の半径方向の突起（７０，７２）と、中央のチャンネル（３３）とを備え、往復直線運動でき、上記片持ち梁をクリヤするように上記バネリテーナ（３０２，１３０２）内に挿入されたプランジャ（１１）；及び
針ホルダ（１４，１０１４）であって、同針ホルダの末端上の針（１３）がノズル（１５）の末端から突出する前進位置と、上記針（１３）が上記バレル（１０）内へ引き戻される引き戻し位置との間で運動するように上記プランジャ（１１）の上記中央の開チャンネル（３３）内に摺動自在に装着された針ホルダ（１４，１０１４）；
を有し、
上記バネリテーナ（３０２，１３０２）の上記末端の軸方向片持ち梁延長部（３０３，１３０３，２３０３）は、上記針ホルダ（１４，１０１４）が当該軸方向の延長部（３０３，１３０３，２３０３）の開口（３１０）を末端方向に貫通するように、当該針ホルダ（１４，１０１４）のまわりりに巻かれた圧縮バネ（３００）を保持し；
上記バネリテーナ（３０２，１３０２）の基端表面が上記針ホルダ（１４，１０１４）を支持するための安定化板（９０３）と、流体射出力を越える力に応答して、上記プランジャ（１１）の上記突起（７０，７２）により半径方向へ偏向されるまで、上記バネ（３００）の膨張力に抗して当該針ホルダ（１４，１０１４）を解放可能な状態で保持
する偏向可能な係留板（８０２，９０２）とを有する；
ことを特徴とする制御ユニット。
【請求項２】
請求項１に記載の引き戻し可能な安全針注射器であって、
前記プランジャ（１１）のチャンネルは、前記針ホルダ（１４，１０１４）が十分に引き戻された位置にあるときに該針ホルダを係合し保持するするデテント（７５）を有し、前記針ホルダ（１４，１０１４）は、その基端部に該デテント（７５）を係合するためにくぼみを有する注射器。
【請求項３】
請求項１に記載の引き戻し可能な安全針注射器であって、
前記プランジャ（１１）は、後方のプランジャフランジ（６４）上にラッチを係合するデテント（６０１）を有し、当該注射器をインターロックするようにした注射器。
【請求項４】
請求項１に記載の引き戻し可能な安全針注射器であって、
さらに、針保護器を有し、前記バレル（１０）のノズル（１５）はその外表面に前記針保護器内側の雌型ルーア先細りと嵌まり合う雄型ルーア先細りを有し、これにより前記ノズル（１５）と針保護器との間に気密及び水密シールを形成する先細りロックを提供し、これによりシールされたバレル（１０）内にある空気又は流体はプランジャ（１１）がバレル（１０）の先端へ前進するのを阻止し、注射器使用前の引き戻しを回避するようにした注射器。
【請求項５】
請求項１に記載の引き戻し可能な安全針注射器であって、
さらに、針上カテーテル（８０）を有し、該カテーテルは針（１３）上に配置されて該針と同時に血管に挿入され、該針が後退した後も血管内に残るようにした注射器。
【請求項６】
請求項１に記載の引き戻し可能な安全針注射器であって、
前記針（１３）の基端側開口端は前記針ホルダ（１４，１０１４）の先端に対向し、側開口によって前記バレル（１０）と連通している注射器。
【手続補正書】
【提出日】平成16年9月28日(2004.9.28)
【手続補正１】
【補正対象書類名】明細書
【補正対象項目名】００３０
【補正方法】変更
【補正の内容】
【００３０】
図２は、図１に示す装置の使用状態を表すもので、マットレス１上で睡眠中の使用者を点線で示している。このように、電流供給電極３Ａ〜３Ｄ、電圧測定電極４Ａ〜４Ｄおよび体温測定パッド５は、使用者が横臥位で寝たときに、各部位に接触するような位置に配置されている。
【手続補正２】
【補正対象書類名】明細書
【補正対象項目名】００９６
【補正方法】変更
【補正の内容】
【００９６】
また、前述した実施例では、寝床環境を構成する手段として、使用者が横臥するマットレスとしてエアマットを使用し、エアマット内部に封入された空気（エア）を温めたり冷やしたりすることで寝床内の温度を制御するものとマットレスとしては、内部に水（ウォーター）を封入し、この水を温めたり冷やしたりするウォーターマットでもよい。また、水に限らず、液体であれば実施可能であり、封入する物質を限定するものではない。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
遊技板に設けられ、かつ、それぞれが変動表示され、所定のタイミングで停止表示され得る複数の変動図柄からなる識別情報画像を表示する識別情報画像領域と、演出画像を表示する演出画像領域とからなる画面画像が表示される表示部、及び、
遊技状況に応じた音を出力するスピーカを備え、
前記スピーカにより、立体音の効果が生じる音を出力することが可能な遊技機であって、
前記複数の変動図柄が変動表示された後に一旦仮停止し、続いて再変動表示される際、
前記再変動表示が行われる前に、予め前記立体音の効果が生じる音により、どの変動図柄が再変動表示されるかを告知することを特徴とする遊技機。
【請求項２】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送及び前記スピーカへの音信号の送信を行う制御部を備え、
前記スピーカにより、立体音の効果が生じる音を出力することが可能であり、かつ、
前記画面画像は、それぞれが変動表示され、所定のタイミングで停止表示され得る識別情報画像を表示する識別情報画像領域と、演出画像を表示する演出画像領域とを含む遊技機であって、
前記複数の変動図柄が変動表示された後に一旦仮停止し、続いて再変動表示される際、
前記再変動表示が行われる前に、予め前記立体音の効果が生じる音により、どの変動図柄が再変動表示されるかを告知することを特徴とする遊技機。
【請求項３】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送及び前記スピーカへの音信号の送信を行う制御部を備え、
前記スピーカにより、立体音の効果が生じる音を出力することが可能であり、かつ、
前記画面画像は、所定のタイミングで停止表示され得る識別情報画像を表示する識別情報画像領域と、演出画像を表示する演出画像領域とを含む遊技機であって、
前記制御部は、前記スピーカ及び前記表示部への電子データの伝送、並びに、前記スピーカへの音信号の送信を行うことにより、
前記表示部に前記複数の変動図柄を変動表示させた後に一旦仮停止させ、続いて再変動表示させる際、前記表示部において前記再変動表示を行う前に、予め前記立体音の効果が生じる音を前記スピーカに出力させることにより、前記表示部においてどの変動図柄を再変動表示させるかを告知することを特徴とする遊技機。
【請求項４】
前記立体音の効果が生じる音は、仮想音源を発生させる音であり、
前記再変動表示が行われる前に、前記仮想音源を発生させることにより、予め再変動表示される変動図柄の位置を告知する請求項１〜３のいずれか１に記載の遊技機。
【請求項５】
前記スピーカは、パラメトリックスピーカである請求項１〜４のいずれか１に記載の遊技機。
【請求項６】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送及び前記スピーカへの音信号の送信を行う制御部を備えた遊技機の演出表現方法であり、かつ、
前記スピーカにより、立体音の効果が生じる音を出力することが可能であるとともに、
前記画面画像は、それぞれが変動表示され、所定のタイミングで停止表示され得る識別情報画像を表示する識別情報画像領域と、演出画像を表示する演出画像領域とを含む遊技機の演出表現方法であって、
前記複数の変動図柄が変動表示された後に一旦仮停止し、続いて再変動表示される際、
前記再変動表示が行われる前に、予め前記立体音の効果が生じる音により、どの変動図柄が再変動表示されるかを告知することを特徴とする遊技機の演出表現方法。
【請求項７】
各端末機に遊技機を示す遊技機画像を表示させるとともに、遊技状況に応じた音を出力させるサーバであり、かつ、
前記各端末機に対して立体音の効果が生じる音を出力させる制御を行うことが可能なサーバであって、
前記端末機において行われる遊技の状況に応じて、それぞれが変動表示され、所定のタイミングで停止表示され得る複数の変動図柄からなる識別情報画像を表示する識別情報画像領域と、演出画像を表示する演出画像領域とを含む画面画像を表示させる制御を端末機に対して行うとともに、
前記複数の変動図柄が変動表示された後に一旦仮停止し、続いて再変動表示される際、
前記再変動表示が行われる前に、予め前記立体音の効果が生じる音により、どの変動図柄が再変動表示されるかを告知することを特徴とするサーバ。
【手続補正書】
【提出日】平成16年2月17日(2004.2.17)
【手続補正１】
【補正対象書類名】明細書
【補正対象項目名】特許請求の範囲
【補正方法】変更
【補正の内容】
【特許請求の範囲】
【請求項１】
中央部に穴部を有するモータフレームと、
スラストリング部を有するシャフトが回転自在に嵌合され、前記モータフレームの前記穴部に取り付けられる突出円筒部を有するスリーブと、から構成される動圧軸受スピンドルモータにおいて、
前記スリーブの前記円筒部の外径は、前記スラストリング部の直径よりも大きいことを特徴とする動圧軸受スピンドルモータ。
【請求項２】
中央部に貫通穴を有し且つ前記貫通穴と同軸の突出円筒部を有するモータフレームと、前記貫通穴に内嵌される下部円筒部と前記突出円筒部に内嵌される上部円筒部を有すると共に小径円筒室と大径円筒室が形成されたスリーブ及びスラストリング部とシャフト部とを有するフランジ付シャフトとを含む動圧軸受と、その中央部に形成された圧入用貫通穴によって前記フランジ付シャフトの上端部に圧入されたハブと、前記ハブに取付けられたロータマグネットと、前記モータフレームの突出円筒部の外周面に取付けられたステータコイルとから構成された動圧軸受スピンドルモータであって、前記スリーブの下部円筒部の外径は前記スラストリング部の直径よりも大きいことを特徴とする動圧軸受スピンドルモータ。
【請求項３】
前記モータフレームの突出円筒部の上部の内周面と前記スリーブの上部の外周面との間に振動吸収用隙間を形成したことを特徴とする請求項１又は２に記載の動圧軸受スピンドルモータ。
【手続補正書】
【提出日】平成17年9月7日(2005.9.7)
【手続補正１】
【補正対象書類名】明細書
【補正対象項目名】請求項１
【補正方法】変更
【補正の内容】
【請求項１】可変速度で駆動される３相のジェネレータ（１０）を３相（Ｒ、Ｓ、Ｔ）の電力供給網と接続するための回路装置において、この回路装置が、ジェネレータ（１０）から電力供給網へのエネルギー流のためには、ジェネレータ側のダイオード・整流器（２０）と、ジェネレータ側の昇圧変換器（２０との組み合わせによる１１）と、直列接続された２つのコンデンサグループ（４１０、４２０）から形成されている中間回路（４０）と、供給網側のインバータ（３０）とから成り、並びに、エネルギー蓄積部（９０）又は電力供給網（Ｒ、Ｓ、Ｔ）からジェネレータ（１０）へのエネルギー流のためには、供給網側のダイオード・整流器（３０）と、供給網側の昇圧変換器（３０との組み合わせによる５０）と、直列接続された２つのコンデンサグループ（４１０、４２０）から形成されている中間回路（４０）と、ジェネレータ側のインバータ（２０）とから成り、ダイオード・整流器と昇圧変換器とインバータが、それぞれ３つのジェネレータ側のインダクタ（１１）と、それぞれ３つの供給網側のインダクタ（５０１、５０２、５０３）と、トランジスタ（２１１〜２１６、３１１〜３１６）及びダイオード（２０１〜２０６、３０１〜３０６）から成るジェネレータ側及び供給網側のインバータ自体と、ジェネレータの中性点並びにコンデンサグループ（４１０、４２０）の直列接続の中心点と接続されている供給網中性線Ｎとから形成されることを特徴とする回路装置。
【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
電気-機械エネルギー変換素子に交流電圧を印加することによって弾性体の駆動部に同形のモードの振動を時間的に適当な位相差を有して励起させ、該位相差を有する振動の合成により該弾性体に駆動振動を形成する振動体を有する振動波駆動装置において、
前記２つの振動モードにおける振動系の固有振動数に差を設けるとともに、固有振動数の高い方の振動系の機械的品質係数Q値を低く設定したことを特徴とする振動波駆動装置。
【請求項２】
電気-機械エネルギー変換素子に交流電圧を印加することによって弾性体の駆動部に同形のモードの振動を時間的に適当な位相差を有して励起させ、該位相差を有する振動の合成により該弾性体に駆動振動を形成する振動体を有する振動波駆動装置において、
前記２つの振動モードにおける振動系の固有振動数に差を設けるとともに、該固有振動数の高い方の振動系の振動を減衰させる部材を該振動体に付与又は付加したことを特徴とする振動波駆動装置。
【請求項３】
前記振動体は、複数の弾性体を用いて前記電気−機械エネルギー変換素子と前記電気−機械エネルギー変換素子に給電するための給電部材とを挟持固定した構成とし、前記振動系の固有振動数に差を設ける手段として、前記給電用部材の電極パターン又は形状を非対称にした構成であることを特徴とする請求項1または２に記載の振動波駆動装置。
【請求項４】
前記振動体は、複数の弾性体を用いて少なくとも前記電気−機械エネルギー変換素子を挟持固定する構成とし、前記振動系の固有振動数に差を設ける手段として、前記振動体の挟持面に非対称形に構成された金属部材を任意の挟持面に少なくとも1つ以上設けたことを特徴とする請求項１から３のいずれかに記載の振動波駆動装置。
【請求項５】
前記振動体は、一端にねじ部を有するシャフトと一体の第１の弾性体と、前記第１の弾性体に接する摩擦駆動板と、前記摩擦駆動板とで前記電気−機械エネルギー変換素子を挟持し前記シャフトのねじ部と螺合するねじ穴を有する第２の弾性体とを有し、前記シャフトを前記摩擦駆動板及び前記電気−機械エネルギー変換素子を通して前記第２の弾性体に螺合して一体化され、前記第１の弾性体の上部には、前記シャフトにねじ締めトルクを伝達するために治具が嵌合する複数のスリットを前記２つの振動系における動剛性を不均一とする位置に設けたことを特徴とする請求項１から４のいずれかに記載の振動波駆動装置。
【請求項６】
前記スリットは２または３個が等ピッチで円周方向に沿って設けられていることを特徴とする請求項５に記載の振動波駆動装置。
【請求項７】
前記振動体に加圧接触する移動体を有することを特徴とする請求項１から６のいずれかに記載の振動波駆動装置。
【手続補正２】
【補正対象書類名】明細書
【補正対象項目名】００１８
【補正方法】変更
【補正の内容】
【００１８】
第５の発明は、上記いずれかの発明で、前記振動体は、一端にねじ部を有するシャフトと一体の第１の弾性体と、前記第１の弾性体に接する摩擦駆動板と、前記摩擦駆動板とで前記電気−機械エネルギー変換素子を挟持し前記シャフトのねじ部と螺合するねじ穴を有する第２の弾性体とを有し、前記シャフトを前記摩擦駆動板及び前記電気−機械エネルギー変換素子を通して前記第２の弾性体に螺合して一体化され、前記第１の弾性体の上部には、前記シャフトにねじ締めトルクを伝達するために治具が嵌合する複数のスリットを前記２つの振動系における動剛性を不均一とする位置に設けたことを特徴とする。
【手続補正３】
【補正対象書類名】明細書
【補正対象項目名】００２８
【補正方法】変更
【補正の内容】
【００２８】
本第１の実施の形態では、図２（a）に示すように、ディスク状弾性体eと第2の弾性体bにより電気−機械エネルギー変換素子としての積層圧電素子cを挟持固定し、圧入構造で第１の弾性体aと一体化されているシャフトd1と、第２の弾性体bの両ねじ部とを結合し、締め付けるように振動体が構成されている。
【手続補正４】
【補正対象書類名】明細書
【補正対象項目名】００２９
【補正方法】変更
【補正の内容】
【００２９】
なお、振動体を一体化するための圧入構造及び下のねじ構造部は、それぞれ、ねじ構造、テーパ構造、圧入構造、一体加工構造、キー構造、蝋付け構造等でもよい。
【手続補正５】
【補正対象書類名】明細書
【補正対象項目名】００６５
【補正方法】変更
【補正の内容】
【００６５】
d1はシャフトで、下部には振動体挟持用のねじが上部にはモータ固定体フランジiと結合用のねじが設けられている。ロータgにはロータ本体の外周部に接触用のバネkが接着等により結合され、また該ロータ本体の内周部に形成されたバネケース部lに加圧用コイルバネｊが装着されている。hは出力用ギアで、ロータｇとラジアル方向に相対移動せぬよう嵌合結合している。モータ固定体フランジiとギアhとの結合部はベアリングにより構成している。mは圧電素子への給電用のフレキシブル基板である。
【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】非同期ＰＬＣ間スケジュール管理方法及びそのシステム
【手続補正２】
【補正対象書類名】明細書
【補正対象項目名】特許請求の範囲
【補正方法】変更
【補正の内容】
【特許請求の範囲】
【特許請求の範囲】
【請求項１】 スケジュールデータを管理するスケジュール管理用ＰＬＣと、前記スケジュール管理用ＰＬＣとは非同期で実行スケジュールデータにより機械を制御する機器制御用ＰＬＣ間において、１バッチ終了毎に機器制御用ＰＬＣの制御カウンタ値を基準に同期タイミングを調整し、同期タイミング調整後に前記スケジュール管理用ＰＬＣより送出する制御再開信号によって前記機器制御用ＰＬＣはシーケンスを開始することによって、非同期ＰＬＣ間の同期タイミングを調整しスケジュールデータの管理を行うことを特徴とする非同期ＰＬＣ間スケジュール管理方法。
【請求項２】 請求項１に記載のＰＬＣ間スケジュール管理方法において、１バッチ終了毎にスケジュール管理用ＰＬＣの制御カウント値を基準に同期タイミングを調整し、同期タイミング調整後に前記スケジュール管理用ＰＬＣより送出する制御再開信号により前記機器制御用ＰＬＣはシーケンスを開始することによって、非同期のＰＬＣ間の同期タイミングを調整しスケジュールデータの管理を行うことを特徴とする非同期ＰＬＣ間スケジュール管理方法。
【請求項３】スケジュールデータを管理するスケジュール管理用ＰＬＣと、前記スケジュール管理用ＰＬＣとは非同期で実行スケジュールデータにより機械を制御する機器制御用ＰＬＣ間において、１バッチ終了毎に機器制御用ＰＬＣの制御カウンタ値を基準に同期タイミングを調整し、同期タイミング調整後に前記スケジュール管理用ＰＬＣより送出する制御再開信号によって前記機器制御用ＰＬＣはシーケンスを開始することによって、非同期ＰＬＣ間の同期タイミングを調整しスケジュールデータの管理を行うことを特徴とする非同期ＰＬＣ間スケジュール管理システム。
【手続補正３】
【補正対象書類名】明細書
【補正対象項目名】０００１
【補正方法】変更
【補正の内容】
【０００１】
【発明の属する技術分野】
本発明は、分散制御による非同期ＰＬＣ（プログラマブルコントローラ）間のスケジュールデータ管理方法及びそのシステムに関する。
【手続補正４】
【補正対象書類名】明細書
【補正対象項目名】０００５
【補正方法】変更
【補正の内容】
【０００５】
そこで、本発明は、特別な設備の増設等の必要がなく、分散した非同期な異種ＰＬＣ間においてもスケジュールデータのタイミングのずれ無く管理され、大量のデータ転送にも対応してＣＰＵダウンなどが起こらない非同期ＰＬＣ間スケジュール管理方法及びそのシステムを提供することを目的としている。